(57)【特許請求の範囲】
【請求項１】
ユーザの指が挿入される指挿入部と、
第１の波長の第１の光を、前記指挿入部に照射する第１の光源と、
前記第１の波長とは異なる第２の波長の第２の光を、前記指挿入部に照射する第２の光源と、
前記第１の光源から前記指挿入部に照射される前記第１の光が前記ユーザの指を透過した透過光または前記第１の光が前記ユーザの指で反射された反射光である第１の受光光を受光する第１の受光部と、
前記第２の光源から前記指挿入部に照射される前記第２の光が前記ユーザの指を透過した透過光または前記第２の光が前記ユーザの指で反射された反射光である第２の受光光を受光する第２の受光部と、
前記第１の受光部で受光される前記第１の受光光に基づいて、前記ユーザの静脈パターンを測定し、前記第２の受光部で受光される前記第２の受光光に基づいて、前記ユーザの生体データを測定する算出部と、
外部に設けられたサーバに、前記静脈パターンの測定結果及び前記生体データの測定結果を送信する送受信部と、
所定の測定期間毎に前記ユーザの静脈パターンを測定するタイミングが切り替わるように、前記ユーザの静脈パターンを測定するタイミングを決定する制御部とを備え、
前記算出部は、前記所定の測定期間内に生体データを所定の回数測定し、前記所定の回数の前記生体データの測定結果から得られる値を一つの生体データの測定結果とし、前記所定の測定期間内の前記制御部により決定されたタイミングにおいて、前記ユーザの静脈パターンを測定する
生体情報測定機器。
【請求項２】
前記制御部は、前記所定の測定期間毎に前記ユーザの静脈パターンを測定するタイミングがランダムに切り替わるように、前記ユーザの静脈パターンを測定するタイミングを決定する
請求項１記載の生体情報測定機器。
【請求項３】
前記算出部は、前記所定の測定期間内の初回に前記ユーザの生体データを測定し、
前記制御部は、前記算出部における初回の前記ユーザの生成データの測定結果に基づいて、前記ユーザの静脈パターンを測定するタイミングを決定する
請求項２記載の生体情報測定機器。
【請求項４】
前記算出部は、前記所定の回数の前記生体データの測定結果の平均値を前記一つの生体データの測定結果とする
請求項１記載の生体情報測定機器。
【請求項５】
前記算出部は、前記所定の回数の前記生体データの測定結果のうちのいずれか一つを前記一つの生体データの測定結果とする
請求項１記載の生体情報測定機器。
【請求項６】
前記算出部は、前記所定の回数の前記生体データの測定結果の中央値を前記一つの生体データの測定結果とする
請求項５記載の生体情報測定機器。
【請求項７】
前記制御部は、前記静脈パターンの測定データと前記生体データの測定結果とを前記サーバに送信した後、前記静脈パターンの測定結果と前記生体データの測定結果とを前記生体情報測定機器から消去する
請求項１〜６のいずれか１項に記載の生体情報測定機器。
【請求項８】
前記送受信部は、さらに、送信した前記静脈パターンの測定結果を用いた前記ユーザの認証結果を、前記サーバより受信し、
前記制御部は、さらに、前記送受信部が前記サーバより受信した認証結果が前記ユーザの認証が成功したことを示す場合、前記静脈パターンの測定結果と前記生体データの測定結果とを対応付けて前記サーバに送信する
請求項１〜７のいずれか１項に記載の生体情報測定機器。
【請求項９】
前記制御部は、さらに、前記送受信部が前記サーバより受信した認証結果が前記ユーザの認証が失敗したことを示す場合、前記静脈パターンの測定結果と前記生体データの測定結果とを前記サーバに送信することなく、前記静脈パターンの測定結果と前記生体データの測定結果とを前記生体情報測定機器から消去する
請求項８記載の生体情報測定機器。
【請求項１０】
前記制御部は、１回目の前記静脈パターンの測定結果及び前記生体データの測定結果の送信に先立って、前記ユーザの静脈パターンの測定結果と、前記生体情報測定機器に設定されている前記ユーザの識別子とを前記サーバに送信する
請求項１〜９のいずれか１項に記載の生体情報測定機器。
【請求項１１】
前記第１の光は、前記第１の波長が７６０ｎｍの赤外光であり、
前記第２の光は、前記第２の波長が１３００ｎｍの赤外光である
請求項１〜１０のいずれか１項に記載の生体情報測定機器。
【請求項１２】
前記生体データは血糖値である
請求項１〜１１のいずれか１項に記載の生体情報測定機器。
【請求項１３】
ユーザの生体情報を測定する生体情報測定機器の制御方法であって、
前記生体情報測定機器は、
ユーザの指が挿入される指挿入部と、
第１の波長の第１の光を、前記指挿入部に照射する第１の光源と、
前記第１の波長とは異なる第２の波長の第２の光を、前記指挿入部に照射する第２の光源と、
前記第１の光源から前記指挿入部に照射される前記第１の光が前記ユーザの指を透過した透過光または前記第１の光が前記ユーザの指で反射された反射光である第１の受光光を受光する第１の受光部と、
前記第２の光源から前記指挿入部に照射される前記第２の光が前記ユーザの指を透過した透過光または前記第２の光が前記ユーザの指で反射された反射光である第２の受光光を受光する第２の受光部とを備え、
前記制御方法は、
所定の測定期間毎に前記ユーザの静脈パターンを測定するタイミングが切り替わるように、前記ユーザの静脈パターンを測定するタイミングを決定するステップと、
前記第１の受光部で受光される前記第１の受光光に基づいて、前記ユーザの静脈パターンを測定するステップと、
前記第２の受光部で受光される前記第２の受光光に基づいて、前記ユーザの生体データを測定するステップと、
外部に設けられたサーバに、前記静脈パターンの測定結果及び前記生体データの測定結果を送信するステップと
を含み、
前記ユーザの生体データを測定するステップでは、前記所定の測定期間内に生体データを所定の回数測定し、前記所定の回数の前記生体データの測定結果から得られる値を一つの生体データの測定結果とし、
前記ユーザの静脈パターンを測定するステップでは、前記所定の測定期間内の、決定された前記タイミングにおいて、前記ユーザの静脈パターンを測定する
生体情報測定機器の制御方法。
【請求項１４】
所定の測定期間毎にユーザの静脈パターンを測定するタイミングが切り替わるように、前記ユーザの静脈パターンを測定するタイミングを決定するステップと、
第１の光源からユーザの指が挿入される指挿入部に照射される第１の波長の第１の光がユーザの指を透過した透過光または前記第１の光が前記ユーザの指で反射された反射光に基づいて、前記ユーザの静脈パターンを測定するステップと、
第２の光源から前記指挿入部に照射される前記第１の波長とは異なる第２の波長の第２の光が前記ユーザの指を透過した透過光または前記第２の光が前記ユーザの指で反射された反射光に基づいて、前記ユーザの生体データを測定するステップと、
外部に設けられたサーバに、前記静脈パターンの測定結果及び前記生体データの測定結果を送信するステップと
をコンピュータに実行させ
前記ユーザの生体データを測定するステップでは、前記所定の測定期間内に生体データを所定の回数測定し、前記所定の回数の前記生体データの測定結果から得られる値を一つの生体データの測定結果とし、
前記ユーザの静脈パターンを測定するステップでは、前記所定の測定期間内の、決定された前記タイミングにおいて、前記ユーザの静脈パターンを測定する
プログラム。
【請求項１５】
第１の光源からユーザの指が挿入される指挿入部に照射される第１の波長の第１の光がユーザの指を透過した透過光または前記第１の光が前記ユーザの指で反射された反射光に基づいて、前記ユーザの静脈パターンを測定し、第２の光源から前記指挿入部に照射される前記第１の波長とは異なる第２の波長の第２の光が前記ユーザの指を透過した透過光または前記第２の光が前記ユーザの指で反射された反射光に基づいて、前記ユーザの生体データを測定する算出部と、
外部に設けられたサーバに、前記静脈パターンの測定結果及び前記生体データの測定結果を送信する送受信部と、
所定の測定期間毎に前記ユーザの静脈パターンを測定するタイミングが切り替わるように、前記ユーザの静脈パターンを測定するタイミングを決定する制御部とを備え、
前記算出部は、前記所定の測定期間内に生体データを所定の回数測定し、前記所定の回数の前記生体データの測定結果から得られる値を一つの生体データの測定結果とし、前記所定の測定期間内の前記制御部により決定されたタイミングにおいて、前記ユーザの静脈パターンを測定する
集積回路。
【請求項１６】
ユーザの生体情報を測定する生体情報測定機器と、前記生体情報測定機器で測定された前記生体情報を受信し、受信した前記生体情報をデータベースに登録するサーバとを備える生体情報測定システムであって、
前記生体情報測定機器は、
ユーザの指が挿入される指挿入部と、
第１の波長の第１の光を、前記指挿入部に照射する第１の光源と、
前記第１の波長とは異なる第２の波長の第２の光を、前記指挿入部に照射する第２の光源と、
前記第１の光源から前記指挿入部に照射される前記第１の光が前記ユーザの指を透過した透過光または前記第１の光が前記ユーザの指で反射された反射光である第１の受光光を受光する第１の受光部と、
前記第２の光源から前記指挿入部に照射される前記第２の光が前記ユーザの指を透過した透過光または前記第２の光が前記ユーザの指で反射された反射光である第２の受光光を受光する第２の受光部と、
前記第１の受光部で受光される前記第１の受光光に基づいて、前記ユーザの静脈パターンを測定し、前記第２の受光部で受光される前記第２の受光光に基づいて、前記ユーザの生体データを測定する算出部と、
前記サーバに、前記静脈パターンの測定結果及び前記生体データの測定結果を送信する送受信部と、
所定の測定期間毎に前記ユーザの静脈パターンを測定するタイミングが切り替わるように、前記ユーザの静脈パターンを測定するタイミングを決定する制御部とを備え、
前記算出部は、前記所定の測定期間内に生体データを所定の回数測定し、前記所定の回数の前記生体データの測定結果から得られる値を一つの生体データの測定結果とし、前記所定の測定期間内の前記制御部により決定されたタイミングにおいて、前記ユーザの静脈パターンを測定し、
前記サーバは、
前記生体情報測定機器から前記静脈パターンの測定結果及び前記生体データの測定結果を受信する送受信部と、
ユーザごとに、静脈パターンの測定結果が予め記憶されているメモリと、
前記送受信部が受信した前記静脈パターンの測定結果と、前記メモリに予め記憶されている前記静脈パターンの測定結果とが一致する場合に、前記送受信部が受信した前記生体データの測定結果を、前記メモリに予め記憶されている前記静脈パターンの測定結果と対応付けて前記メモリに書き込む制御部とを備える
生体情報測定システム。
【発明の詳細な説明】
【技術分野】
【０００１】
本発明は、生体データを測定する生体情報測定機器及びその制御方法に関し、特に、血糖値を測定する生体情報測定機器及びその制御方法に関する。
【背景技術】
【０００２】
患者の生体データとして血糖値を一例に説明すると、近年、血液中のヘモグロビンＡ１ｃの状態を非侵襲で分析する測定機器が検討されている。このヘモグロビンＡ１ｃは、糖尿病の診断や血糖コントロールの状態を知るための指標として、従来、臨床的に利用されている。
【０００３】
上記測定機器は、分析時に採血を必要とせず、指等に光を照射することにより血液中のヘモグロビンＡ１ｃを分析する。血液中のヘモグロビンＡ１ｃの分析において、上記測定機器は、所定の波長の光を用い、血液中のヘモグロビンＡ１ｃがグルコースと結合した割合を分析する。これにより、検査時に採血を伴わずに非侵襲で血糖値の検査を実施することができるため、患者は苦痛やストレスを感じることなく検査を受けることができる（例えば、特許文献１）。
【先行技術文献】
【特許文献】
【０００４】
【特許文献１】特開２００５−２５３４７８号公報
【発明の概要】
【発明が解決しようとする課題】
【０００５】
しかし、上記従来技術によると、以下のような問題が生じる。
【０００６】
即ち、上記従来技術では、医師と患者との間で検査結果の受け渡しをするためには、患者が病院に検査結果を持ち運ぶか、あるいは、医師又は看護婦等が患者宅を訪問して直接検査結果を受け取る以外に方法がない。このため、医師と患者の両者にとって不便である。
【０００７】
かかる問題は、測定機器に通信機能を持たせ、患者の検査結果を病院に設置されたサーバに送信することにより解決することができる。
【０００８】
しかし、複数の患者が各自の検査結果をサーバに送信する場合、この送信データに各検査結果の患者を識別するための情報を含めなければ、サーバ側で各検査結果に対応する患者を特定することができない。具体的には、患者を識別するために、予め測定機器に各測定機器を識別するための固有のＩＤを設定し、測定機器のＩＤとともに検査結果をサーバに送信することが考えられる。
【０００９】
しかし、この場合、予め測定機器に固有のＩＤが付与されているため、患者が測定機器を紛失した際に、これを拾得した第三者から上記ＩＤを基に患者の検査結果を盗み見られる可能性がある。そのため、患者のプライバシーを保護することができないという問題がある。
【００１０】
そこで、本発明は、上記課題に鑑みてなされたものであって、ユーザのプライバシーを保護することができる生体情報測定機器及びその制御方法を提供することを目的とする。
【課題を解決するための手段】
【００１１】
上記課題を解決するために、本発明のある局面に係る生体情報測定機器は、ユーザの指が挿入される指挿入部と、第１の波長の第１の光を、前記指挿入部に照射する第１の光源と、前記第１の波長とは異なる第２の波長の第２の光を、前記指挿入部に照射する第２の光源と、前記第１の光源から前記指挿入部に照射される前記第１の光が前記ユーザの指を透過した透過光または前記第１の光が前記ユーザの指で反射された反射光である第１の受光光を受光する第１の受光部と、前記第２の光源から前記指挿入部に照射される前記第２の光が前記ユーザの指を透過した透過光または前記第２の光が前記ユーザの指で反射された反射光である第２の受光光を受光する第２の受光部と、前記第１の受光部で受光される前記第１の受光光に基づいて、前記ユーザの静脈パターンを測定し、前記第２の受光部で受光される前記第２の受光光に基づいて、前記ユーザの生体データを測定する算出部と、外部に設けられたサーバに、前記静脈パターンの測定結果及び前記生体データの測定結果を送信する送受信部とを備える。
【００１２】
この構成によると、ユーザＩＤの変わりに、静脈パターンの測定結果が送信される。このため、サーバ側で、静脈パターンの測定結果を用いて認証が行われるのであれば、サーバは、ユーザＩＤの代わりに、生体データの測定毎に得られる静脈パターンの測定結果を用いてユーザの生体データを管理することができる。そのため、ユーザの個人情報が生体情報測定機器に残らないので、ユーザが生体情報測定機器を紛失した場合においても、第三者はこの生体情報測定機器からユーザの個人情報を盗み見ることができない。その結果、生体情報測定機器はユーザのプライバシーを保護することができる。
【００１３】
なお、本発明は、このような特徴的な処理部を備える生体情報測定機器として実現することができるだけでなく、生体情報測定機器に含まれる特徴的な処理部をステップとする生体情報測定機器の制御方法として実現したり、生体情報測定機器の制御方法に含まれる特徴的なステップをコンピュータに実行させるプログラムとして実現したりすることもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な記録媒体やインターネット等の通信ネットワークを介して流通させることができるのは、言うまでもない。
【発明の効果】
【００１４】
本発明によると、ユーザのプライバシーを保護することができる生体情報測定機器及びその制御方法を提供することができる。
【図面の簡単な説明】
【００１５】
【図１】図１は、本発明の実施の形態に係る生体情報測定システムの構成を示す図である。
【図２】図２は、本発明の実施の形態に係る認証サーバの内部構成を示すブロック図である。
【図３】図３は、本発明の実施の形態に係る認証サーバが保有する血糖値管理メモリのデータ構造を示す図である。
【図４】図４は、本発明の実施の形態に係る血糖値測定機器の内部構成を示すブロック図である。
【図５】図５は、本発明の実施の形態に係る血糖値測定機器が保有する保存部のデータ構造を示す図である。
【図６】図６は、本発明の実施の形態に係る生体情報測定システムにおいて、血糖値測定機器から認証サーバに送信されるデータのデータ構造を示す図である。
【図７】図７は、本発明の実施の形態に係る生体情報測定システムにおいて、ユーザＩＤの初期登録時の血糖値測定機器及び認証サーバの動作を示すシーケンス図である。
【図８】図８は、本発明の実施の形態に係る血糖値測定機器による血糖値の測定原理を説明するための図である。
【図９】図９は、本発明の実施の形態に係る血糖値測定機器の動作を示すフローチャートである。
【図１０】図１０は、測定順序決定処理（図９のＳ９０３）の詳細を示すフローチャートである。
【図１１】図１１は、測定処理（図９のＳ９０４）の詳細を示すフローチャートである。
【図１２】図１２は、本発明の実施の形態に係る血糖値測定機器による血糖値の測定原理を説明するための図である。
【図１３】図１３は、静脈パターンの測定タイミングの変化を示す図である。
【発明を実施するための形態】
【００１６】
以下、本発明の実施の形態に係る生体情報測定システムについて、図面を参照しながら説明する。なお、本実施の形態では、生体データの一例として血糖値を用いて、以下の説明を行う。
【００１７】
図１は、本発明の実施の形態に係る生体情報測定システムの構成を示す図である。図１において、本実施の形態に係る生体情報測定システムは、認証サーバ１０１と、複数の血糖値測定機器１０２とを含む。認証サーバ１０１と複数の血糖値測定機器１０２とは、ネットワークを介して相互に接続されている。ここで、上記ネットワークは、イーサネット（登録商標）等の有線ネットワーク、無線ＬＡＮ（Ｌｏｃａｌ  Ａｒｅａ  Ｎｅｔｗｏｒｋ）等の無線ネットワーク、又はこれらが複合されたネットワーク等で構成される。
【００１８】
認証サーバ１０１は、血糖値測定機器１０２よりユーザの静脈パターンの測定結果を収集し、ユーザを認証する機能を有する。また、認証サーバ１０１は、血糖値測定機器１０２より血糖値の測定結果を収集し、収集した測定結果をデータベースに登録することにより管理する。
【００１９】
血糖値測定機器１０２は、血糖値を測定する機能とともに、ユーザの認証に用いる情報を測定する（以下、「個人認証用測定」という。）機能を有する。この個人認証用測定では、ユーザを認証するための情報として、ユーザの静脈パターンが測定される。また、血糖値測定機器１０２は、認証サーバ１０１と通信する機能を有し、上記静脈パターンの測定結果及び血糖値の測定結果を認証サーバ１０１に送信する。
【００２０】
図２は、本発明の実施の形態に係る認証サーバ１０１の内部構成を示すブロック図である。図２において、本実施の形態に係る認証サーバ１０１は、送受信部２０１、認証部２０２、血糖値管理メモリ２０３、及び制御部２０４を含む。
【００２１】
送受信部２０１は、ネットワークを介して血糖値測定機器１０２と通信する。ユーザＩＤの初期登録時において、送受信部２０１は、血糖値測定機器１０２よりユーザＩＤ及びユーザの認証用に設定する静脈パターンの測定結果を受信する。そして、血糖値の測定時において、送受信部２０１は、血糖値測定機器１０２より静脈パターンの測定結果及び血糖値の測定結果を受信する。また、血糖値の測定時において、送受信部２０１はユーザの認証結果、即ち、ユーザの認証に成功したか、あるいは、失敗したかを示す情報を血糖値測定機器１０２に送信する。
【００２２】
認証部２０２は、ユーザの静脈パターンの測定結果を用いて、ユーザの認証処理を行う。
【００２３】
血糖値管理メモリ２０３は、ユーザの血糖値の測定結果、及びユーザの認証用に設定される静脈パターンの測定結果をユーザごとに記憶している。この血糖値管理メモリ２０３の詳細なデータ構造については図３を用いて後述する。
【００２４】
制御部２０４は、送受信部２０１、認証部２０２、及び血糖値管理メモリ２０３の各ブロックの動作を制御する。また、制御部２０４は、血糖値の測定結果、静脈パターンの測定結果、又は、認証結果等の各ブロックに必要な情報を、各処理部に受け渡す。
【００２５】
図３は、図２に示す血糖値管理メモリ２０３のデータ構造を詳細に示す図である。図３において、血糖値管理メモリ２０３は、項目「ユーザＩＤ」、項目「静脈情報」、及び項目「測定ログ」の各項目に関する情報をユーザごとに記憶することにより管理する。
【００２６】
項目「ユーザＩＤ」には、血糖値測定機器１０２を使用しているユーザを識別するためのＩＤが格納される。項目「静脈情報」には、ユーザＩＤの初期登録時に登録されるユーザの静脈パターンの測定結果に関する情報が格納される。この静脈情報が、認証時において判断の基準として用いられる。項目「測定ログ」には、血糖値の測定結果が格納される。
【００２７】
図３の場合、血糖値管理メモリ２０３は、ユーザＩＤが「ＩＤ１」から「ＩＤｎ」までのｎ人のユーザの静脈情報および測定ログを、ユーザ毎に記憶している。例えば、項目「ユーザＩＤ」が「ＩＤ１」のユーザについて、項目「静脈情報」にユーザの静脈パターンの画像データである「静脈ｉｍｇ１」が登録されている。また、ユーザＩＤが「ＩＤ１」のユーザについて、項目「測定ログ」には、「領域１１」から「領域１ｍ」までのｍ回分の血糖値の測定結果を格納する領域が確保されている。同様に、項目「ユーザＩＤ」が「ＩＤｎ」のユーザについて、項目「静脈情報」にユーザの静脈パターンの画像データである「静脈ｉｍｇｎ」が登録されている。そして、ユーザＩＤが「ＩＤｎ」のユーザについて、項目「測定ログ」には、「領域ｎ１」から「領域ｎｍ」までのｍ回分の血糖値の測定結果を格納する領域が確保されている。
【００２８】
図４は、本発明の実施の形態に係る血糖値測定機器１０２の内部構成を示すブロック図である。図４において、本実施の形態の血糖値測定機器１０２は、指挿入部４０１、光源４０２、光源４０３、受光部４０４、受光部４０５、切替部４０６、算出部４０７、保存部４０８、送受信部４０９、及び制御部４１０を含む。なお、切替部４０６、保存部４０８、及び制御部４１０は、本発明の必須の構成要素ではない。
【００２９】
指挿入部４０１は、ユーザの指が挿入される構成部であり、ユーザの指が挿入される孔を有する領域である。指挿入部４０１は、血糖値測定機器１０２の側面から内部に向けて設けられている。血糖値測定機器１０２のユーザは、指挿入部４０１にユーザの指を挿入して血糖値を測定する。指挿入部４０１の外壁の同一面に、光源４０２及び光源４０３が設けられる。
【００３０】
光源４０２は、波長が例えば７６０ｎｍの赤外光（以下、「第１赤外光」という。）を指挿入部４０１に照射する。受光部４０４は、光源４０２に対して指挿入部４０１を間に挟むように配置され、第１赤外光が指を透過した透過光を受光する。ユーザの静脈パターンは、受光部４０４で受光される第１赤外光の透過光を基に測定される。また、受光部４０４は、第１赤外光の透過光を受光することにより、ユーザが指挿入部４０１に指を挿入したことを検知する。なお、第１赤外光の波長は、静脈パターンを測定できるものであれば７６０ｎｍに限られるものではない。
【００３１】
一方、光源４０３は、測定する生体データが血糖値の場合は、波長が例えば１３００ｎｍの赤外光（以下、「第２赤外光」という。）を指挿入部４０１に照射する。受光部４０５は、指挿入部４０１に向かって光源４０２と同じ側に並ぶように配置され、指挿入部４０１に挿入されたユーザの指で反射された第２赤外光の反射光を受光する。ユーザの血糖値は、受光部４０５で受光される第２赤外光の反射光を基に測定される。なお、第２赤外光の波長は、生体データを測定できるものであれば１３００ｎｍに限られるものではない。
【００３２】
切替部４０６は、静脈パターンを測定するか、あるいは血糖値を測定するかに応じて、光源４０２と光源４０３とを切り替える。具体的には、静脈パターンを測定する場合又はユーザの指が挿入されたことを検知する場合には光源４０２から光が出力され、血糖値を測定する場合には光源４０３から光が出力されるように、切替部４０６は、光源４０２と光源４０３とを切り替える。
【００３３】
算出部４０７は、受光部４０４で受光される第１赤外光の透過光を基に、ユーザの静脈パターンを測定する。また、算出部４０７は、受光部４０５で受光される第２赤外光の反射光を基に、ユーザの血糖値を測定する。
【００３４】
算出部４０７は、所定の測定期間内に生体データを所定の回数測定し、所定の回数の生体データの測定結果から得られる値を一つの生体データの測定結果とし、上記所定の測定期間内に静脈パターンを測定する。なお、算出部４０７は、制御部４１０により決定されたタイミングにおいて、ユーザの静脈パターンを測定する。
【００３５】
保存部４０８は、静脈パターンの測定結果及び血糖値の測定結果を保存する。この保存部４０８の詳細なデータ構造については図５を用いて後述する。なお、静脈パターンの測定結果とは静脈パターンの画像データのことである。
【００３６】
送受信部４０９は、ネットワークを介して認証サーバ１０１と通信する。ユーザＩＤの初期登録時において、送受信部４０９はユーザのユーザＩＤ及びユーザの認証用に登録される静脈パターンの測定結果を認証サーバ１０１に送信する。一方、血糖値の測定時において、送受信部４０９は静脈パターンの測定結果及び血糖値の測定結果を認証サーバ１０１に送信する。また、上記血糖値の測定時において、送受信部４０９は、上記静脈パターンの測定結果を用いて行われたユーザ認証の結果、即ち、上記ユーザの認証に成功したか、あるいは、失敗したかを示す情報を認証サーバ１０１より受信する。
【００３７】
制御部４１０は、受光部４０４、受光部４０５、切替部４０６、算出部４０７、保存部４０８、及び送受信部４０９の各ブロックの動作を制御する。また、制御部４１０は、血糖値の測定結果、又は、静脈パターンの測定結果等、各ブロックに必要な情報の各ブロック間の受渡しを行う。さらに、制御部４１０は、所定の測定期間毎に静脈パターンを測定するタイミングを決定する。例えば、所定の測定期間内に血糖値の測定を４回、静脈パターンの測定を１回行う場合、制御部４１０は、所定の測定期間毎にユーザの静脈パターンを測定するタイミングが切り替わるように、ユーザの静脈パターンを測定するタイミングを決定する。より詳細には、制御部４１０は、所定の測定期間毎にユーザの静脈パターンを測定するタイミングがランダムに切り替わるように、ユーザの静脈パターンを測定するタイミングを決定する。
【００３８】
図５は、図４に示す保存部４０８のデータ構造を詳細に示す図である。図５において、保存部４０８は、静脈パターンの測定結果を格納する領域と、血糖値の測定結果を格納する領域とを有する。図５の場合、「領域０」は、ユーザの認証に用いられる静脈パターンの測定結果を格納する領域に指定されている。一方、「領域１」から「領域ｎ」は、１回目からｎ回目までの血糖値の測定結果を格納する領域に指定されている。
【００３９】
図６は、血糖値測定機器１０２の送受信部４０９から認証サーバ１０１に送信されるデータのデータ構造を示している。図６（ａ）は、ユーザが認証サーバ１０１にユーザＩＤの初期登録を行う際に送信されるデータのデータ構造を示している。図６（ｂ）は、ユーザが血糖値の測定を実施した際に送信されるデータのデータ構造を示している。
【００４０】
具体的には、図６（ａ）の場合、即ち、上記初期登録時の場合、上記送信データには、ユーザを識別するためのユーザＩＤ及びユーザの認証用に設定される静脈パターンの測定結果が含まれる。また、このとき、ユーザは血糖値を測定し、上記静脈パターンの測定結果と共に血糖値の測定結果を同時に送信してもよい。
【００４１】
一方、図６（ｂ）の場合、即ち、血糖値測定時の場合、上記送信データには、静脈パターンの測定結果及び血糖値の測定結果が含まれる。このとき、上記送信データに含まれる血糖値の測定結果は、保存部４０８の「領域１」から「領域ｎ」に記憶されている１回目からｎ回目までの血糖値の測定結果を基に算出されたものである。例えば、一つの測定結果を得るにあたって、血糖値の測定を４回実施した場合、認証サーバ１０１に送信する血糖値の測定結果として、この４回の測定結果の平均値を用いる方法が考えられる。また、上記４回の測定結果の中から、最大値と最小値とを除き、残った２回の平均値を用いる方法が考えられる。
【００４２】
以下、以上のように構成された生体情報測定システムの動作について、図面を用いて説明する。
【００４３】
図７は、本発明の実施の形態に係る生体情報測定システムにおいて、ユーザＩＤを初期登録する際の認証サーバ１０１及び血糖値測定機器１０２の動作を示すシーケンス図である。本処理では、ユーザのユーザＩＤ及び静脈パターンの測定結果が認証サーバ１０１に登録される。
【００４４】
事前に、病院の医師又は看護婦等は、ユーザＩＤを発行し、発行したユーザＩＤを認証サーバ１０１に初期登録する（Ｓ７０１）。
【００４５】
ユーザは病院の受付窓口で上記ユーザＩＤを受け取る。そして、ユーザは自身が利用する血糖値測定機器１０２に受け取ったユーザＩＤを設定する。ユーザはこのユーザＩＤが設定された血糖値測定機器１０２で静脈パターンを測定する。静脈パターンの測定後、血糖値測定機器１０２は、ユーザＩＤ及び静脈パターンの測定結果を認証サーバ１０１に送信する（Ｓ７０２）。このとき、血糖値測定機器１０２は、図６（ａ）に示すような送信データの中にユーザＩＤ及び静脈パターンの測定結果を設定し、認証サーバ１０１に送信する。
【００４６】
認証サーバ１０１の送受信部２０１が、血糖値測定機器１０２より送信されたユーザＩＤ及び静脈パターンの測定結果を受信すると、制御部２０４は、図３に示す血糖値管理メモリ２０３の項目「ユーザＩＤ」に受信したユーザＩＤを登録し、項目「静脈情報」に受信した静脈パターンの測定結果を登録する（Ｓ７０３）。
【００４７】
これにより、認証サーバ１０１側ではユーザＩＤとユーザの静脈パターンの測定結果とを対応付けることができる。このため、血糖値の測定時において、血糖値を測定する毎に測定される静脈パターンの測定結果は、サーバでのユーザの認証に用いられるとともに、各ユーザの血糖値を識別するためのＩＤとしても共用できる。
【００４８】
図８は、血糖値測定機器１０２による血糖値の測定原理を説明するための図である。
【００４９】
血糖値測定機器１０２は、一つの血糖値の測定結果を得るにあたって、所定の測定期間「Ｔ」内に血糖値の測定を所定の回数行う。そして、血糖値測定機器１０２は、上記所定の回数の測定結果の平均値を算出し、この平均値を一つの血糖値の測定結果とする。図８の場合、血糖値測定機器１０２は、一つの血糖値の測定結果を得るにあたって、所定の測定期間「Ｔ」内に血糖値の測定が４回行われている。したがって、この４回の測定結果の平均値が一つの血糖値の測定結果となる。
【００５０】
また、血糖値測定機器１０２は、所定の測定期間「Ｔ」内に静脈パターンを測定し、所定の測定期間「Ｔ」毎に静脈パターンを測定するタイミングを切り替える。例えば、図８では、所定の測定期間「Ｔ」において、３回目の血糖値の測定と４回目の血糖値の測定との間に静脈パターンが測定される場合を例に示している。即ち、図８では、所定の測定期間「Ｔ」において、１回目、２回目、３回目、及び５回目に血糖値が測定され、４回目に静脈パターンが測定されている。なお、血糖値測定機器１０２は、所定の測定期間「Ｔ」内で１回目の血糖値が測定されていない初期状態においては、どのタイミングで静脈パターンの測定を行うかについては未定である。
【００５１】
血糖値測定機器１０２は、一つの血糖値の測定結果を得るにあたって、所定の測定期間「Ｔ」内に血糖値を所定の回数測定し、所定の回数の測定結果の平均値を一つの血糖値の測定結果とする。また、血糖値測定機器１０２は、上記所定の測定期間「Ｔ」内に静脈パターンを測定し、上記所定の測定期間「Ｔ」毎に静脈パターンを測定するタイミングを切り替える。これにより、血糖値測定機器１０２は、血糖値の測定と静脈パターンの測定とを時間的に分離するのではなく、一つの機器で同時に行うことができる。また、上記所定の測定期間「Ｔ」毎に静脈パターンを測定するタイミングを切り替えることにより、ユーザは静脈パターンの測定のタイミングと血糖値測定のタイミングとを特定できなくなる。そのため、血糖値の測定中にユーザ以外の第三者が指を差し替えて測定を行うことができなくなる。その結果、血糖値測定機器１０２は、第三者の血糖値の測定結果をユーザの血糖値の測定結果として用いることを確実に防止できる。
【００５２】
なお、血糖値測定機器１０２は、上記所定の測定期間「Ｔ」に行われる全測定のうち、１回目の測定には血糖値を測定するようにしてもよい。この場合、１回目の測定は血糖値の測定に用いられ、１回目の測定が静脈パターンの測定に用いられることはない。そのため、１回目にユーザ自身の静脈パターンを測定し、短時間で指を差し替えて、２回目から第三者の血糖値を測定することはできない。その結果、第三者の血糖値の測定結果をユーザの血糖値の測定結果として用いることを確実に防止できる。
【００５３】
以下、血糖値測定機器１０２による血糖値測定処理について説明する。
【００５４】
図９は、血糖値測定時の血糖値測定機器１０２の動作を示すフローチャートである。
【００５５】
本動作において、血糖値測定機器１０２は、一つの血糖値の測定結果を得るにあたって、所定の測定期間内に血糖値の測定及び静脈パターンの測定を行う。そして、血糖値測定機器１０２は血糖値の測定結果及び静脈パターンの測定結果を認証サーバ１０１に送信する。なお、血糖値測定機器１０２の各動作は、制御部４１０によって制御される。
【００５６】
まず、ユーザが指挿入部４０１に指を挿入する。指の挿入後、光源４０２は、制御部４１０からの指示に従い、上記第１赤外光を指挿入部４０１に向けて照射する。そして、受光部４０４は、光源４０２から照射された上記第１赤外光が上記ユーザの指を透過する透過光を受光する。制御部４１０は、上記透過光を基に、ユーザの指が指挿入部４０１に挿入されたことを確認する（Ｓ９０１）。
【００５７】
次に、光源４０３は、制御部４１０からの指示に従い、上記第２赤外光を指挿入部４０１に向けて照射する。そして、受光部４０５は、光源４０３から照射された上記第２赤外光が上記ユーザの指から反射する反射光を受光する。このとき、制御部４１０は、上記反射光を基にユーザの血糖値を算出し、保存部４０８に記録する（Ｓ９０２）。即ち、Ｓ９０２において、上記４回の血糖値の測定のうち、１回目の血糖値が測定される。なお、血糖値の算出方法は、特に限定されるものではなく、例えば、反射光から血液中のヘモグロビンＡ１ｃがグルコースと結合した割合を分析することにより血糖値を測定する方法であってもよい（例えば、特許文献１）。
【００５８】
次に、制御部４１０は、Ｓ９０２において受光部４０５で受光された反射光から得られる情報、即ち、１回目の血糖値の測定結果を基に、血糖値の測定が残り３回行われる中のどのタイミングで静脈パターンの測定を行うかを決定し、血糖値の測定順序と静脈パターンの測定順序とを決定する（Ｓ９０３）。この処理については、図１０を用いて後述する。
【００５９】
次に、制御部４１０は、Ｓ９０３で決定された順序に基づいて、切替部４０６を制御しながら血糖値の測定を３回、静脈パターンの測定を１回行い、各測定結果を保存部４０８に記録する（Ｓ９０４）。切替部４０６は、上記静脈パターンを測定する場合には光源４０２を設定し、反射光の受光を行う場合には光源４０３を設定する。この処理については、図１１を用いて後述する。
【００６０】
次に、制御部４１０は、静脈パターンの測定結果を送受信部４０９より認証サーバ１０１に送信し（Ｓ９０５）、認証サーバ１０１においてユーザの認証が行われる。制御部４１０は、認証サーバ１０１よりユーザの認証結果を受信する（Ｓ９０６）。受信した認証結果に基づいて、制御部４１０は、ユーザの認証が成功しているか否かを判断する（Ｓ９０７）。
【００６１】
ユーザの認証に失敗していると判断した場合（Ｓ９０７でＮＯ）、制御部４１０は保存部４０８の保存領域に記録されている情報を消去し（Ｓ９０８）、再度血糖値の測定及び静脈パターンの測定をやり直す処理に移行する（Ｓ９０８→Ｓ９０２）。これにより、ユーザ以外の第三者の測定結果が血糖値測定機器１０２に残らない。そのため、第三者の血糖値測定後にユーザが血糖値測定を行っても、ユーザの測定結果が第三者の測定結果と混在するのを防止できる。その結果、血糖値測定機器１０２は測定結果の誤送信を防止することができる。
【００６２】
ユーザの認証に成功していると判断した場合（Ｓ９０７でＹＥＳ）、制御部４１０は送受信部４０９より静脈パターンの測定結果と血糖値の測定結果とを対応付けて認証サーバ１０１に送信する（Ｓ９０９）。このとき、制御部４１０は、図６（ｂ）に示すような送信データの中に静脈パターンの測定結果及び血糖値の測定結果を設定し、認証サーバ１０１に送信する。なお、認証サーバ１０１に送信される血糖値の測定結果は、４回の血糖値の測定結果の平均値である。これにより、静脈パターンの測定結果は、認証サーバ１０１でのユーザの認証に用いられるとともに、各ユーザの血糖値を識別するためのＩＤとしても共用される。つまり、認証サーバ１０１の制御部２０４は、血糖値測定機器１０２から送信された静脈パターンの測定結果と、血糖値管理メモリ２０３に記憶されている静脈パターンの測定結果とを比較することによりユーザを特定し、特定されたユーザに割り当てられている「測定ログ」の記憶領域に、血糖値の測定結果を格納する。そのため、血糖値を識別するためのＩＤを別途血糖値測定機器１０２内に登録しておく必要がなくなる。このため、ユーザが血糖値測定機器１０２を紛失した場合においても、第三者は血糖値測定機器１０２からユーザの個人情報を盗み見ることができない。その結果、血糖値測定機器１０２はユーザのプライバシーを保護することができる。
【００６３】
静脈パターンの測定結果及び血糖値の測定結果の送信処理（Ｓ９０９）の後、制御部４１０は、保存部４０８の保存領域に記録されている情報を消去する（Ｓ９１０）。これにより、ユーザの個人情報が血糖値測定機器１０２に残らない。そのため、ユーザが血糖値測定機器１０２を紛失した場合においても、第三者は血糖値測定機器１０２からユーザの個人情報を盗み見ることができない。その結果、血糖値測定機器１０２はユーザのプライバシーを保護することができる。
【００６４】
本実施の形態によると、血糖値測定機器１０２は、一つの血糖値の測定結果を得るにあたって、所定の測定期間内に血糖値を所定の回数測定し、所定の回数の測定結果の平均値を一つの血糖値の測定結果とする。また、血糖値測定機器１０２は、所定の測定期間内に静脈パターンを測定する。これにより、血糖値測定機器１０２は、静脈パターンの測定と血糖値の測定とを時間的に分離して行うのではなく、一つの機器で同時に行うことができる。そのため、血糖値測定機器１０２は第三者の血糖値の測定結果をユーザの血糖値の測定結果として用いることを確実に防止できる。
【００６５】
図１０は、測定順序決定処理（図９のＳ９０３）の詳細を示すフローチャートである。本処理では、一つの血糖値の測定結果を得るための上記所定の測定期間毎に、Ｓ９０２で得られる血糖値の測定結果を基に静脈パターンを測定するタイミングを切り替え、血糖値の測定順序と静脈パターンの測定順序とを決定する。
【００６６】
つまり、制御部４１０は、血糖値測定処理（Ｓ９０２）で得られた１回目の血糖値の測定結果を１０進数で表し、１０進数の下二桁を、残りの血糖値の測定回数及び静脈パターンの測定回数の総計（以下、単に「測定回数の総計」という。）「４」で割ったときの余り「Ｓ」を取得する（Ｓ１００１）。例えば、上記１０進数の下二桁が１８の場合、上記余り「Ｓ」は「Ｓ＝１８ｍｏｄ４＝２」となる。測定回数の総計が「４」である場合には、余り「Ｓ」は０から３までの間の整数を取り得る。
【００６７】
制御部４１０は、図１１のＳ１１０１からＳ１１０６の処理において、変数「ｊ」の値が上記余り「Ｓ」のときに静脈パターンを測定することを決定する（Ｓ１００２）。つまり、１回目の血糖値の測定を回数に含めない場合には、（Ｓ＋１）回目に静脈パターンを測定することを決定する。例えば、余り「Ｓ」が「０」の場合には、１回目に静脈パターンを測定することを決定し、余り「Ｓ］が「２」の場合には、３回目に静脈パターンを測定することを決定する。
【００６８】
図１１は、測定処理（図９のＳ９０４）の詳細を示すフローチャートである。
【００６９】
制御部４１０は、変数「ｊ」に「０」を設定し、変数「ｊ」の値を初期化する（Ｓ１１０１）。この変数「ｊ」は測定回数を格納するための変数である。具体的には、１回目の血糖値の測定を回数に含めない場合には、変数「ｊ」の値が「ｋ」のとき、「ｋ＋１」回目の測定が行われることを意味する。
【００７０】
制御部４１０は、図１０のＳ１００２の処理で決定された順序に基づいて、血糖値の測定を３回、上記静脈パターンの測定を１回実行する処理に移行する（Ｓ１１０２〜Ｓ１１０６）。
【００７１】
まず、制御部４１０は、変数「ｊ」の値が測定回数の総計「４」に一致するか否かを判定する（Ｓ１１０２）。変数「ｊ」が測定回数の総計「４」に一致する場合（Ｓ１１０２でＹＥＳ）、制御部４１０は本処理を終了する。
【００７２】
一方、変数「ｊ」の値が測定回数の総計「４」に一致しない場合（Ｓ１１０２でＮＯ）、制御部４１０は、変数「ｊ」の値が余り「Ｓ」に一致するか否かを判定する（Ｓ１１０３）。具体的には、変数「ｊ」の値は「０」となっており、測定回数の総計「４」と一致しない。したがって、Ｓ１１０３に移行する。
【００７３】
変数「ｊ」の値が余り「Ｓ」に一致する場合（Ｓ１１０３でＹＥＳ）、算出部４０７は静脈パターンを測定する（Ｓ１１０４）。一方、変数「ｊ」の値が余り「Ｓ」に一致しない場合（Ｓ１１０３でＮＯ）、算出部４０７は血糖値を測定する（Ｓ１１０５）。具体的には、余り「Ｓ」の値は「２」なので、変数「ｊ」の値「０」と一致しない。したがって、算出部４０７は血糖値を測定する（Ｓ１１０５）。
【００７４】
血糖値の測定が終わると、制御部４１０は、変数「ｊ」に「１」を加算する（Ｓ１１０６）。これにより、変数「ｊ」に「１」が設定される。そして、制御部４１０は２回目の測定を行う処理に移行する（Ｓ１１０６→Ｓ１１０２）。
【００７５】
変数「ｊ」が「１」であるため、変数「ｊ」の値は余り「Ｓ」の値「２」と一致しない（Ｓ１１０３でＮＯ）。したがって、算出部４０７は血糖値を測定する（Ｓ１１０５）。血糖値の測定が終わると、制御部４１０は変数「ｊ」に「１」を加算する（Ｓ１１０６）。これにより、変数「ｊ」に「２」が設定される。そして、制御部４１０は３回目の測定を行う処理に移行する（Ｓ１１０６→Ｓ１１０２）。
【００７６】
変数「ｊ」が「２」であるため、変数「ｊ」の値は余り「Ｓ」の値「２」と一致する（Ｓ１１０３でＹＥＳ）。したがって、算出部４０７は静脈パターンを測定する（Ｓ１１０４）。静脈パターンの測定が終わると、制御部４１０は変数「ｊ」に「１」を加算する（Ｓ１１０６）。これにより、変数「ｊ」に「３」が設定される（Ｓ１１０６）。そして、制御部４１０は４回目の測定を行う処理に移行する（Ｓ１１０６→Ｓ１１０２）。
【００７７】
変数「ｊ」が「３」であるため、変数「ｊ」の値は上記余り「Ｓ」の値「２」と一致しない（Ｓ１１０３でＮＯ）。したがって、算出部４０７は血糖値を測定する（Ｓ１１０５）。血糖値の測定が終わると、制御部４１０は変数「ｊ」に「１」を加算する（Ｓ１１０６）。これにより、変数「ｊ」に「４」が設定される（Ｓ１１０６）。このとき、変数「ｊ」の値が測定回数の総計「４」に達したので（Ｓ１１０２でＹＥＳ）、制御部４１０は本処理を終了する。
【００７８】
以上説明したように、Ｓ１１０２において変数「ｊ」の値が測定回数の総計「４」になるまで、Ｓ１１０２からＳ１１０６の処理を繰り返すと、本処理の１回目、２回目及び４回目に血糖値が測定され、３回目に静脈パターンが測定される。静脈パターンの測定タイミングは、測定期間「Ｔ」にランダムに変化する。例えば、図１３（ａ）に示すように、１回目の測定期間「Ｔ」において、静脈パターンは４回目に計測される。また、図１３（ｂ）に示すように、２回目の測定期間「Ｔ」において、静脈パターンは２回目に計測される。さらに、図１３（ｃ）に示すように、３回目の測定期間「Ｔ」において、静脈パターンは３回目に計測される。
【００７９】
本実施の形態によると、血糖値測定機器１０２は、一つの血糖値の測定結果を得るための上記所定の測定期間毎に、静脈パターンを測定するタイミングをランダムに切り替えることができる。これにより、ユーザは静脈パターンが測定されるタイミングと血糖値が測定されるタイミングとを特定できない。このため、血糖値の測定中にユーザ以外の第三者が指を差し替えて測定を行うことができなくなる。その結果、血糖値測定機器１０２は、第三者の血糖値の測定結果をユーザの血糖値の測定結果として用いることを確実に防止できる。
【００８０】
また、認証サーバ１０１側で、静脈パターンの測定結果を用いて認証が行われるため、認証サーバ１０１側では、予め血糖値測定機器１０２に設定されたユーザＩＤの代わりに、血糖値測定機器１０２毎に得られる静脈パターンの測定結果を用いてユーザを特定することができる。そのため、ユーザの個人情報が血糖値測定機器１０２に残らないので、ユーザが血糖値測定機器１０２を紛失した場合においても、第三者はこの血糖値測定機器１０２から上記ユーザの個人情報を盗み見ることができない。その結果、本実施の形態に係る血糖値測定機器１０２はユーザのプライバシーを保護することができる。
【００８１】
また、本実施の形態によると、血糖値測定機器１０２は、一つの血糖値の測定結果を得るにあたって、所定の測定期間内に血糖値を所定の回数測定し、上記所定の回数の測定結果の平均値を算出する。また、血糖値測定機器１０２は、上記所定の測定期間内に静脈パターンを測定する。これにより、血糖値測定機器１０２は、上記血糖値の測定と上記静脈パターンの測定とを時間的に分離して行うのではなく、一つの機器で連続して行うことができる。そのため、上記ユーザの血糖値の測定結果を第三者の測定結果にすり替えることを防止できる。例えば、患者が保険の加入申請をする際、患者の健康状態がよくないと、このことを理由に保険会社から保険の加入を拒否される可能性がある。これを回避するため、患者は、自身のＩＤを用いて健康状態がよい他人の検査結果を保険会社のサーバに送信し、この検査結果を用いて保険の加入申請を行うことが考えられる。しかし、本実施の形態によると、このような不正を確実に防止することができる。
【００８２】
また、本実施の形態によると、血糖値測定機器１０２は、上記所定の測定期間において、１回目に血糖値を測定し、２回目以降のいずれの箇所で静脈パターンを測定する。これにより、１回目に静脈パターンが測定されることはない。そのため、１回目にユーザ自身の静脈パターンを測定し、短時間で指を差し替えて、２回目から第三者の血糖値を測定することはできない。その結果、第三者の血糖値の測定結果をユーザの血糖値の測定結果として用いることを確実に防止できる。
【００８３】
また、本実施の形態によると、血糖値測定機器１０２は、静脈パターンの測定結果を上記認証サーバ１０１に送信する。血糖値測定機器１０２は、上記認証サーバ１０１において上記静脈パターンの測定結果を用いた上記ユーザの認証が成功した場合、上記静脈パターンの測定結果と血糖値の測定結果とを対応付けて上記認証サーバ１０１に送信する。これにより、上記静脈パターンの測定結果は、上記認証サーバ１０１でのユーザの認証に用いられるとともに、各ユーザの血糖値を識別するためのＩＤとしても用いられる。そのため、血糖値を識別するためのＩＤを別途血糖値測定機器１０２内に登録しておく必要がなくなる。このため、ユーザが血糖値測定機器１０２を紛失した場合においても、第三者はこの血糖値測定機器１０２から上記ユーザの個人情報を盗み見ることができない。その結果、血糖値測定機器１０２はユーザのプライバシーを保護することができる。
【００８４】
また、本実施の形態によると、血糖値測定機器１０２は、血糖値の測定結果及び静脈パターンの測定結果を上記認証サーバ１０１に送信した後、血糖値の測定結果及び静脈パターンの測定結果を血糖値測定機器１０２から消去する。これにより、ユーザの個人情報が血糖値測定機器１０２に残らないので、ユーザが血糖値測定機器１０２を紛失した場合においても、第三者は血糖値測定機器１０２からユーザの個人情報を盗み見ることができない。その結果、血糖値測定機器１０２はユーザのプライバシーを保護することができる。
【００８５】
また、本実施の形態によると、血糖値測定機器１０２は、上記認証サーバ１０１側でユーザの認証に失敗した場合、血糖値の測定結果及び静脈パターンの測定結果を上記認証サーバ１０１に送信せずに、血糖値の測定結果及び上記静脈パターンの測定結果を血糖値測定機器１０２から消去する。これにより、ユーザ以外の第三者の測定結果が血糖値測定機器１０２に残らない。そのため、上記第三者の測定後にユーザが測定を行っても、ユーザの測定結果が上記第三者の測定結果と混在するのを防止できる。その結果、血糖値測定機器１０２は測定結果の誤送信を防止することができる。
【００８６】
また、本実施の形態によると、血糖値測定機器１０２は、ユーザＩＤの初期登録時において、ユーザＩＤ及び静脈パターンの測定結果を上記認証サーバ１０１に送信する。これにより、上記認証サーバ１０１側ではユーザＩＤとユーザの静脈パターンの測定結果とを対応付けることができる。このため、血糖値を測定する毎に測定される静脈パターンの測定結果が、上記認証サーバ１０１でのユーザの認証に用いられるとともに、各ユーザの血糖値を識別するためのＩＤとしても用いることができる。そのため、血糖値を識別するためのＩＤを別途機器内に登録しておく必要がなくなるので、ユーザが血糖値測定機器１０２を紛失した場合においても、第三者はこの血糖値測定機器１０２から上記ユーザの個人情報を盗み見ることができない。その結果、血糖値測定機器１０２はユーザのプライバシーを保護することができる。
【００８７】
以上、本発明の実施の形態に係る生体情報測定システムについて説明したが、本発明は、この実施の形態に限定されるものではない。
【００８８】
例えば、本実施の形態では、生体データの一例として血糖値を例に説明したが、これに限られるものではなく、光源による光の照射によって測定できる生体データであれば、適宜、適用できる。例えば、本発明は、血中酸素飽和濃度の測定にも用いることができる。
【００８９】
また、本実施の形態では、静脈パターンを測定するタイミングを決定する手段として、Ｓ９０２で得られた血糖値の測定結果を１０進数で表し、この１０進数を所定の数値で割ったときの余りを用いたが（Ｓ１００１）、上記静脈パターンを測定するタイミングが上記所定の測定期間毎にランダムに切り替わる方法であれば他の方法を用いてもよい。例えば、血糖値の測定結果を用いるのではなく、時刻、気温、体温等を用いて静脈パターンを測定するタイミングを決定するようにしてもよい。
【００９０】
また、本実施の形態では、血糖値の測定結果として所定の回数の血糖値の測定結果の平均値を用いることとしたが、それ以外の値を用いてもよい。例えば、所定の回数の血糖値のうちの中央値を血糖値の測定結果としてもよい。また、所定の回数の血糖値のうち、最後の測定結果を血糖値の測定結果としてもよい。これにより、安定した値の血糖値を測定結果として利用することができる。
【００９１】
また、上述の実施の形態ではユーザＩＤを血糖値測定機器１０２に一旦初期登録し、ユーザＩＤと静脈パターンの測定結果とを認証サーバ１０１に送信するようにしたが、血糖値測定機器１０２にユーザＩＤを初期登録しないようにしてもよい。この場合、血糖値測定機器１０２が静脈パターンの測定結果のみを認証サーバ１０１に送信し、認証サーバ１０１がユーザＩＤを発生させ、発生させたユーザＩＤと受信した静脈パターンの測定結果とを対応付けることにより、ユーザＩＤの初期登録を行うようにしてもよい。
【００９２】
また、上述の実施の形態では、図８にも示したように、所定の測定期間「Ｔ」内に行われる静脈パターンの測定回数は１回としたが、複数回であってもよい。例えば、所定の測定期間「Ｔ」内に静脈パターンを２回測定する場合には、以下に説明するような方法により静脈パターンを測定するタイミングをランダムに決定するようにしてもよい。例えば、残り３回の血糖値の測定と２回の静脈パターンの測定とを行う場合には、制御部４１０は、図１０のＳ１００２の処理の代わりに以下の処理を行う。つまり、図１２に示すように、制御部４１０は、１回目の血糖値の測定結果を１０進数で表した値を測定回数の総計「５」で割ったときの余り「Ｓ」を取得する。１回目の血糖値の測定を回数に含めない場合には、Ｓ回目の血糖値の測定の次のタイミングで１回目の静脈パターンを測定することを決定する。図１２は、「Ｓ」が「１」の場合を示しており、１回目の血糖値の測定の次のタイミングで１回目の静脈パターンが測定される。次に、制御部４１０は、２回目の静脈パターンの測定タイミングを決定する。つまり、制御部４１０は、残りの血糖値の測定の間のどのタイミングで静脈パターンを測定するかを決定する。図１２の例では、１回目の静脈パターンの測定が終了した時点では、測定回数の総計は「３」である。このため、例えば、１回目の静脈パターンの測定結果を１０進数で表した値を測定回数の総計「３」で割ったときの余り「Ｓ２」を取得する。これにより、制御部４１０は、Ｓ２回の血糖値の測定の次のタイミングで２回目の静脈パターンを測定することを決定する。図１２は、「Ｓ２」が「１」の場合を示している。血糖値測定機器１０２は、決定されたタイミングにおいて静脈パターンを測定する。
【００９３】
なお、静脈パターンを複数回測定した場合には、複数の静脈パターンの測定結果を認証サーバ１０１に送信するようにしてもよい。この場合、認証サーバ１０１は、複数の静脈パターンの測定結果のすべてが、あらかじめ登録されている静脈パターンと一致した場合にのみ、認証に成功したと判断するようにしてもよい。また、血糖値測定機器１０２が、複数の静脈パターンの測定結果を比較し、すべての静脈パターンの測定結果が一致する場合にのみ、任意の個数の静脈パターンの測定結果を認証サーバ１０１に送信するようにしてもよい。
【００９４】
また、上述の実施の形態では、受光部４０４は、第１赤外光が指を透過した透過光を受光するものとしたが、指挿入部４０１に挿入されたユーザの指で反射された第１赤外光の反射光を受光するものであってもよい。この場合には、算出部４０７は、第１赤外光の反射光を基に、静脈パターンを測定する。
【００９５】
また、上述の実施の形態では、受光部４０５は、ユーザの指で反射された第２赤外光の反射光を受光するものとしたが、指挿入部４０１に挿入されたユーザの指を第２赤外光が透過した透過光を受光するものであってもよい。この場合には、算出部４０７は、第２赤外光の透過光を基に、ユーザの血糖値を測定する。
【００９６】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。例えば、血糖値測定機器１０２の保存部４０８がＲＡＭにより構成され、切替部４０６、算出部４０７、送受信部４０９及び制御部４１０がコンピュータプログラムを実行することにより実現されていてもよい。
【００９７】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。例えば、血糖値測定機器１０２の切替部４０６、算出部４０７、保存部４０８、送受信部４０９及び制御部４１０が集積回路により構成されていてもよい。
【００９８】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９９】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１００】
さらに、本発明は、上記コンピュータプログラムまたは上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの記録媒体に記録されている上記デジタル信号であるとしても良い。
【０１０１】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０３】
また、上記プログラムまたは上記デジタル信号を上記記録媒体に記録して移送することにより、または上記プログラムまたは上記デジタル信号を上記ネットワーク等を経由して移送することにより、独立した他のコンピュータシステムにより実施するとしても良い。
【０１０４】
さらに、上記実施の形態及び上記変形例をそれぞれ組み合わせるとしても良い。
【０１０５】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１０６】
本発明は、ユーザのプライバシーを保護し、また、所定のユーザの検査結果を他人の検査結果にすり替えることを防止できる血糖値測定機器及び血糖値測定機器の制御方法等に適用できる。
【符号の説明】
【０１０７】
１０１  認証サーバ
１０２  血糖値測定機器
２０１  送受信部
２０２  認証部
２０３  血糖値管理メモリ
２０４  制御部
４０１  指挿入部
４０２  光源
４０３  光源
４０４  受光部
４０５  受光部
４０６  切替部
４０７  算出部
４０８  保存部
４０９  送受信部
４１０  制御部
【図１】
0005443395.tif 000002
【図２】
0005443395.tif 000003
【図３】
0005443395.tif 000004
【図４】
0005443395.tif 000005
【図５】
0005443395.tif 000006
【図６】
0005443395.tif 000007
【図７】
0005443395.tif 000008
【図８】
0005443395.tif 000009
【図９】
0005443395.tif 000010
【図１０】
0005443395.tif 000011
【図１１】
0005443395.tif 000012
【図１２】
0005443395.tif 000013
【図１３】
0005443395.tif 000014